(57)【特許請求の範囲】
【請求項１】
建築物に設置されて配線工事された，複数の分岐ブレーカを備えた分電盤の，各々の分岐ブレーカの負荷側端子部には，分岐ブレーカのハンドルを切りにして，分岐ブレーカの負荷側端子以下の配線を電源側配線から切り離した状態で，各々異なる値のインピーダンス回路を着脱自在に接続し，コンセントや照明器具などの配線端末には，前記インピーダンスを測定する回路を備えた測定器を着脱自在に接続して，配線端末に接続したインピーダンスの測定結果から，コンセントや照明器具が，指定された分岐ブレーカに接続されているかどうかを判断可能とする分電盤の分岐回路接続チェック装置。
【請求項２】
建築物に設置されて配線工事された，複数の分岐ブレーカを備えた分電盤の，各々の分岐ブレーカの負荷側端子部には，分岐ブレーカのハンドルを切りにして，分岐ブレーカの負荷側端子以下の配線を電源側配線から切り離した状態で，各々異なる抵抗値の抵抗器とダイオード手段を直列もしくは並列に組み合わせた回路を，ダイオードの極性をそろえて着脱自在に接続し，コンセントや照明器具などの配線端末には，前記抵抗器の抵抗値を測定判別する回路とダイオード手段の極性を判別するランプを備えた回路とを切り替えスイッチにより択一的に選択し，電池を介して配線に接続する測定器を着脱自在に接続して，配線端末に接続した測定器の抵抗値の測定結果とダイオードの極性の判別結果から，コンセントや照明器具が，指定された分岐ブレーカに接続されているかどうかを判断可能とする分電盤の分岐回路接続チェック装置。
【発明の詳細な説明】
【０００１】
【発明の属する技術分野】
本件の発明は，分電盤の分岐回路の接続チェック方法に係わる。
【０００２】
【従来の技術】
従来，建物の電気設備工事の竣工検査などにおいて，分電盤の負荷側の配線接続チェックは，分電盤と接続配線端末に人が分かれて分岐ブレーカー１回路づつ声を掛け合いながら各々の配線が指定された分岐ブレーカーに接続されているかを，実際に電気を入れながらチェックしていた。
【０００３】
【発明が解決しようとする課題】
しかしながら，例えば建物が集合住宅など，分電盤の設置数量がたくさんある場合には，それぞれの分電盤全てについて分岐ブレーカの配線接続をチェックしていくのは，非常に多くの時間と人手がかかる作業となっていた。
【０００４】
【本件発明の目的】
そこで，本件発明の目的は，ひとつの分電盤に接続される配線については，一人で行え，集合住宅などでも人手を省力化できるようなチェック装置を提供することにある。
【０００５】
【課題を解決しようとするための手段】
そこで，本件発明の請求項１のチェック装置は，建築物に設置されて配線工事された，複数の分岐ブレーカを備えた分電盤の，各々の分岐ブレーカの負荷側端子部には，分岐ブレーカのハンドルを切りにして，分岐ブレーカの負荷側端子以下の配線を電源側配線から切り離した状態で，各々異なる値のインピーダンス回路を着脱自在に接続し，コンセントや照明器具などの配線端末には，前記インピーダンスを測定する回路を備えた測定器を着脱自在に接続して，配線端末に接続したインピーダンスの測定結果から，コンセントや照明器具が，指定された分岐ブレーカに接続されているかどうかを判断可能としたものである。
【０００６】
また，請求項２によるチェック装置は，建築物に設置されて配線工事された，複数の分岐ブレーカを備えた分電盤の，各々の分岐ブレーカの負荷側端子部には，分岐ブレーカのハンドルを切りにして，分岐ブレーカの負荷側端子以下の配線を電源側配線から切り離した状態で，各々異なる抵抗値の抵抗器とダイオード手段を直列もしくは並列に組み合わせた回路を，ダイオードの極性をそろえて着脱自在に接続し，コンセントや照明器具などの配線端末には，前記抵抗器の抵抗値を測定判別する回路とダイオード手段の極性を判別するランプを備えた回路とを切り替えスイッチにより択一的に選択し，電池を介して配線に接続する測定器を着脱自在に接続して，配線端末に接続した測定器の抵抗値の測定結果とダイオードの極性の判別結果から，コンセントや照明器具が，指定された分岐ブレーカに接続されているかどうかを判断可能としたものである。
【０００７】
【作用】
請求項１と２による本件発明によれば，電気設備の竣工検査の際に，分電盤には前記インピーダンス回路または抵抗器とダイオード手段の組み合わせ回路を予め分電盤の分岐ブレーカの負荷側端子に装着しておき，その後，測定器でコンセントや，照明器具などの配線端末側から接続されているインピーダンス回路や抵抗器とダイオード手段の組み合わせ回路のインピーダンスや抵抗値を測定することで，その配線がどの分岐ブレーカに接続されているかを容易に判別可能であるので，接続チェックが一人でできる。
【０００８】
また，請求項２による発明では，配線がどの分岐ブレーカに接続されているかを確認後，ダイオード手段の接続極性をチェックすれば，コンセントなどのどちらの極が分岐ブレーカのどちらの極につながっているかといった接続極性のチェックも可能となる。
【０００９】
【発明の実施の形態】
以下に本件発明を図面を用いて詳細に説明する。
【００１０】
図１に本件発明のチェック装置の第一の実施例を示す。図１において１は分電盤で，２〜４は複数の分岐ブレーカ，８〜１０は配線で１１〜１３は配線の端末に設置されたコンセントや，照明器具などの接続器で，予め定められた配線図により個々の分岐ブレーカにどのコンセントや照明器具が接続するかが指定されており，工事終了後，１１〜１３がそれぞれうまく２〜４の分岐ブレーカに対応して接続されているかをチェックするものである。
【００１１】
１４〜１６は各々の分岐ブレーカの負荷側の端子５〜７に着脱可能なインピーダンス回路で，各々の分岐ブレーカごとにそれぞれインピーダンスの値を変えてある。１７はインピーダンス測定回路を備えた測定器である。
【００１２】
接続チェックの際には，次のように一人で作業が行える。まず，分岐ブレーカ２〜４をハンドルを切りにして，分岐ブレーカの負荷側端子５〜７以下の配線を電源側配線１８から切り離す。その後１４〜１６のインピーダンス回路を分岐ブレーカの負荷側端子５〜７に接続し，配線端末１１〜１３側に移動する。移動後，測定器を個々の配線端末に接続し配線端末からインピーダンス回路のインピーダンスを測定して，インピーダンス値によりその配線がどの分岐ブレーカに接続されているかを判断して接続をチェックする。
【００１３】
図２に，本件発明による第二の実施例を示す。図２において，図１と同一記号の個所は図１ですでに説明したものと同一であるので説明を省略する。２０〜２２は抵抗器２０１，２１１，２２１とダイオード手段２０２，２１２，２２２による組み合わせ回路で，２０１〜２２１の抵抗器の抵抗値はそれぞれ異なる値としてある。２４は抵抗値測定回路２４２と極性判定回路２４３と切り替えスイッチ２４１とからなる測定器で，チェック方法は図１に示す装置と同様であるが，まず，切替スイッチ２４１を抵抗値測定回路側にしておいて配線が接続してある抵抗値を測定して，配線が接続してある分岐ブレーカのチェックを行い，次に切替スイッチ２４１を極性判定回路側に切り替え，ランプが点灯するかどうかをチェックすることで，配線端末の右側が分岐ブレーカの右側の極に接続されているかどうかが分かる。ダイオード手段２０２〜２２２の極性を分岐ブレーカ２〜４の端子の左右方向に対し一定の基準でそろえておけば，確実に接続極性の判定が可能になる。
【００１４】
図３は，は２０〜２２の抵抗器とダイオード手段の組み合わせ回路の別の実施例で，抵抗器２５１とダイオード手段２５２を直列に接続した例である。図４は抵抗器とダイオード手段が図３に示す場合の測定器２６の例で，切替スイッチ２６１と抵抗値測定回路２６２と極性判別回路（この例ではランプ）２６３と電池２６４を図のように接続してある。この場合抵抗値測定回路２６２は流れる電流値で抵抗値を測定するような構成となる。
【００１５】
【発明の効果】
以上のように，本件発明によれば，分電盤の負荷端子側にインピーダンス回路もしくは抵抗器とダイオード手段の組み合わせ回路を着脱自在に接続し，配線の端末側から測定器で，配線が接続されているインピーダンス回路もしくは抵抗器とダイオード手段による回路のインピーダンスもしくは抵抗値を測定することで，一人で順番にチェック作業が行えチェック作業にたくさんの人手をかけずに容易に接続回路のチェックが行えるという効果がある。
【００１６】
また，ダイオード手段によるダイオードの接続極性を測定器でチェックすれば，配線とブレーカ端子の接続極性のチェックも容易に行えるという効果を有する。
【図面の簡単な説明】
【図１】  本件発明による第一の実施例の図
【図２】  本件発明による第二の実施例の図
【図３】  抵抗器とダイオード手段の別の実施例の図
【図４】  測定器の別の実施例の図
【符号の説明】
１    分電盤
２，３，４  分岐ブレーカ
５，６，７  分岐ブレーカの負荷側端子
８，９，１０  配線
１１，１２，１３  配線端末のコンセントなど
１４，１５，１６  インピーダンス回路
１７  測定器
２０，２１，２２，２５  抵抗器とダイオード手段の組み合わせ回路
２０１，２１１，２２１，２５１  抵抗器
２０２，２１２，２２２，２５２  ダイオード手段
２４，２６  測定器
２４１，２６１  切替スイッチ
２４２，２６２  抵抗値測定回路
２４３，２６３  極性判別回路
【図１】
0004353575.tif 000002
【図２】
0004353575.tif 000003
【図３】
0004353575.tif 000004
【図４】
0004353575.tif 000005